(57)【要約】【課題】サブバッグを天面に載せて移動しても、簡単な構造でサブバッグを安定させた状態で移動することが可能であり、サブバッグの荷物を容易に取り出すことが可能なキャリーバッグを提供する。【解決手段】キャリーバッグ１は、荷物が収納されるバッグ本体２と、バッグ本体２の裏面Ｓ２から上方に向かって引き出されるキャリーハンドル３と、バッグ本体２の底部に設けられたキャスター４と、バッグ本体２のおもて面Ｓ１から上方へ向かって突出したサポート部５とを備えたものである。キャリーハンドル３にサブバッグＢの手提げ部分Ｂ１を通して、サブバッグＢを天面Ｓ５に載せると、バッグ本体２のおもて面Ｓ１から上方へ向かって突出したサポート部５と、キャリーハンドル３とにより、サブバッグＢを挟み込むことができる。従って、サブバッグＢがずれても、サポート部５がサブバッグＢを支持してバッグ本体Ｂ２が傾斜することを抑止することができる。【選択図】図１
2020130873.tif 000002
【特許請求の範囲】
【請求項１】
荷物が収納されるバッグ本体と、前記バッグ本体の裏面から上方に向かって引き出されるキャリーハンドルと、前記バッグ本体の底部に設けられたキャスターとを備え、
前記裏面とは反対側となるバッグ本体のおもて面から上方へ向かって突出したサポート部を備えたキャリーバッグ。
【請求項２】
前記サポート部は、前記キャリーハンドルより幅広に形成された請求項１記載のキャリーバッグ。
【請求項３】
前記サポート部は、前記キャリーハンドルより高さが低く形成された請求項１または２記載のキャリーバッグ。
【請求項４】
前記サポート部は、前記バッグ本体のおもて面に収納可能に形成された請求項１から３のいずれかの項に記載のキャリーバッグ。
【請求項５】
前記サポート部は、バッグ本体に収納される一対の脚部と、前記一対の脚部の上端の間に跨る支持部とにより形成された請求項１から４のいずれかの項に記載のキャリーバッグ。
【発明の詳細な説明】
【技術分野】
【０００１】
本発明は、荷物が収納されたバッグ本体から引き出されたキャリーハンドルを引っ張り、バッグ本体の底部のキャスターを転がしながら搬送できるキャリーバッグに関するものである。
【背景技術】
【０００２】
キャリーバッグは、荷物が重量で大型でも、キャリーハンドルを引っ張り、キャスターを転がして移動できるため、運搬が容易である。
このようなキャリーバッグについて、特許文献１，２に記載されたものが知られている。
【０００３】
特許文献１に記載のキャリア付き旅行鞄は、箱体と一対のキャスターとを備えた鞄体の背面側に、車輪を備えた支持脚と、支持アームからなるキャリアを有し、連結杆と箱体の間に掛け渡される物置板を備え、この掛け渡された物置板の上面に荷物を載置して台車構造状態で手押し走行できる、というものである。
【０００４】
また、特許文献２に記載のキャリーバッグおよび手荷物固定用ストラップは、ベルト部の一端側に、バッグ本体の提げ手部に係合して連結される連結具を有し、ベルト部の他端側に、運搬用ハンドルの一対の支柱部に嵌挿される無端状のゴム製ロープを有する手荷物固定用ストラップによって、バッグ本体上のサブバッグを一対の支柱部に押し付けて固定する、というものである。
【先行技術文献】
【特許文献】
【０００５】
【特許文献１】特開２０００−３２５１２６号公報
【特許文献２】特開２０１０−２５９５８７号公報
【発明の概要】
【発明が解決しようとする課題】
【０００６】
特許文献１に記載のキャリア付き旅行鞄では、物置板を備えているため、引っ張るキャリーバッグと同程度の大きさのバッグを搬送するときには便利であるが、大規模な構造物が必要であるため高価となり、鞄全体の重量も重くなるため、サブバッグをキャリーバッグの天面に載せるような場合には不向きである。
【０００７】
また、特許文献２に記載のキャリーバッグおよび手荷物固定用ストラップは、手荷物固定用ストラップによりサブバッグをキャリーバッグの天面に固定しているため、サブバッグは安定して保持される。
しかし、サブバッグをキャリーバッグの天面に載せて移動する際に、いちいち手荷物固定用ストラップをサブバッグに装着していたのでは手間が掛かり、また、サブバッグ内の荷物を取る際には、手荷物固定用ストラップを外すことになり煩雑である、
【０００８】
サブバッグの手提げ紐部分を、キャリーバッグのキャリーハンドルに通して、サブバッグが落下しないようにするだけであれば、簡単ではあるが、移動中にサブバッグが振られ、側方へずれることがあり、サブバッグが安定しないことがある。
【０００９】
そこで本発明は、サブバッグを天面に載せて移動しても、簡単な構造でサブバッグを安定させた状態で移動することが可能であり、サブバッグの荷物を容易に取り出すことが可能なキャリーバッグを提供することを目的とする。
【課題を解決するための手段】
【００１０】
本発明のキャリーバッグは、荷物が収納されるバッグ本体と、前記バッグ本体の裏面から上方に向かって引き出されるキャリーハンドルと、前記バッグ本体の底部に設けられたキャスターとを備え、前記裏面とは反対側となるバッグ本体のおもて面から上方へ向かって突出したサポート部を備えたことを特徴とする。
【００１１】
本発明のキャリーバッグによれば、キャリーハンドルにサブバッグの手提げ部分を通して、サブバッグを天面に載せると、バッグ本体のおもて面から上方へ向かって突出したサポート部と、バッグ本体の裏面から上方へ向かって引き出されるキャリーハンドルとにより、サブバッグを挟み込むことができる。従って、使用者がキャリーハンドルを引っ張り、キャリーバッグを移動させるときに、移動方向が傾斜することで、サブバッグがずれてしまいそうになっても、サポート部にサブバッグを支持させることができる。そのため、サブバッグのバッグ本体が移動方向に対して傾斜することをサポート部が抑止することができる。また、サポート部は、バッグ本体のおもて面から上方へ向かって突出した簡単な構造であるため、サブバッグの上部から荷物を取り出すことができる。
【００１２】
前記サポート部は、前記キャリーハンドルより幅広に形成されたものとすることができる。サポート部より幅狭なキャリーハンドルに、サブバッグの手提げ部分を簡単に掛けることができると共に、幅広なサポート部がサブバッグのバッグ本体を幅広く支えることができる。そのため、サブバッグの安定度を向上させることができる。
【００１３】
前記サポート部は、前記キャリーハンドルより高さが低く形成されたものとすることができる。サポート部によりサブバッグを支持させながらサポート部がキャリーバッグの移動の邪魔にならず、意匠性を向上させることができる。
【００１４】
前記サポート部は、前記バッグ本体のおもて面に収納可能に形成されたものとすることができる。サポート部がバッグ本体のおもて面に収納可能に形成されていると、サブバッグを天面に載せない場合に、サポート部が移動の邪魔にならない。
【００１５】
前記サポート部は、バッグ本体に収納される一対の脚部と、前記一対の脚部の上端の間に跨る支持部とにより形成されたものとすることができる。
サポート部がバッグ本体に収納される一対の脚部と、一対の脚部の上端の間に跨る支持部とにより形成されていると、サブバッグを支持させると共に、バッグ本体の天面に子供をバッグ本体に跨った状態で載せた場合でも、子供の前に、サポート部の支持部が位置するため、支持部が手摺となって揺れる子供を支えさせることができる。
【発明の効果】
【００１６】
本発明のキャリーバッグによれば、サポート部が、バッグ本体のおもて面から上方へ向かって突出しているため、サブバッグを天面に載せて移動しても、簡単な構造でサブバッグを安定させた状態で移動することが可能であり、サブバッグの荷物を容易に取り出すことが可能である。
【図面の簡単な説明】
【００１７】
【図１】本発明の実施の形態に係るキャリーバッグを示す斜視図であり、サポート部がバッグ本体に収納された状態の図である。
【図２】図１に示すキャリーバッグを説明するための斜視図であり、サポート部がバッグ本体から引き出された状態の図である。
【図３】図１に示すキャリーバッグの使用状態を説明するための斜視図であり、バッグ本体の天面にサブバッグを載せた状態の図である。
【発明を実施するための形態】
【００１８】
本発明の実施の形態に係るキャリーバッグを図面に基づいて説明する。なお、本明細書では、使用者が引くキャリーハンドル側のバッグ本体の面を裏面、反対側をおもて面として説明する。
図１および図２に示すキャリーバッグ１は、荷物が収納されるバッグ本体２と、バッグ本体２の裏面Ｓ２から上方に向かって引き出されるキャリーハンドル３と、バッグ本体２の底部に設けられたキャスター４とを備えている。
また、キャリーバッグ１は、バッグ本体２のおもて面Ｓ１から上方へ向かって突出したサポート部５を備えている。
【００１９】
バッグ本体２は、直方体の箱状に形成されている。バッグ本体２の一方の側面Ｓ３には、使用者が、一方の側面Ｓ３を天面にしてキャリーバッグ１を持ち上げて移動するためのハンドル２１が配置されている。
バッグ本体２における他方の側面Ｓ４を除く周囲面には、バッグ本体２を開閉するためのファスナー２２が配置されている。
バッグ本体２の裏面Ｓ２の上端部に、キャリーハンドル３の把持部３ｂが天面Ｓ５と同一面となるように凹部２３が形成されている。また、バッグ本体２のおもて面Ｓ１の上端部にも、サポート部５の後述する支持部５ｂが天面Ｓ５と同一面となるように凹部２４が形成されている。
【００２０】
キャリーハンドル３は、棒状部材をコ字状に形成したものである。キャリーハンドル３は、バッグ本体２に収納される一対の脚部３ａと、一対の脚部３ａの上端部の間に跨る把持部３ｂとを備えている。
キャリーハンドル３は、キャリーハンドル３の脚部３ａが裏面Ｓ２内部に収納された状態から、段階的に引き出すことができ、引き出した状態で維持することができる。
キャスター４は、バッグ本体２の底面Ｓ６のそれぞれの角部に１個ずつ、合計４個が配置されている。
【００２１】
サポート部５は、棒状部材をコ字状に形成したものである。サポート部５は、バッグ本体２に収納される一対の脚部５ａと、一対の脚部５ａの上端部の間に跨る支持部５ｂとを備えている。サポート部５は、キャリーハンドル３より幅広に形成されている。サポート部５は、キャリーハンドル３より高さが低く形成されている。
サポート部５は、脚部５ａがおもて面Ｓ１内部に収納された状態から引き出すことができ、引き出した状態で維持することができる。
【００２２】
以上のように構成されたキャリーバッグ１の使用状態を図面に基づいて説明する。
使用者は、図１に示すキャリーバッグ１の天面Ｓ５にサブバッグを載せて移動するときには、図３に示すように、キャリーハンドル３を引き上げ、キャリーハンドル３にサブバッグＢの手提げ部分Ｂ１を通して、サブバッグＢを天面Ｓ５に載せる。
次に、使用者がサポート部５をバッグ本体２から引き上げることで、サポート部５とキャリーハンドル３とにより、サブバッグＢが挟み込まれる。
【００２３】
使用者がサブバッグＢの手提げ部分Ｂ１をキャリーハンドル３に通した状態で、キャリーハンドル３を引っ張ってキャリーバッグ１を移動すると、その移動方向が傾斜することがある。そうなると、サブバッグＢのバッグ本体Ｂ２がキャリーハンドル３を中心に振り子のように振られ、天面Ｓ５からずれようとする。
【００２４】
しかし、バッグ本体Ｂ２が天面Ｓ５からずれようとしても、サポート部５の脚部５ａがサブバッグＢのバッグ本体Ｂ２の側部を支持する。また、支持部５ｂがバッグ本体Ｂ２の中央部を支持する。
従って、サポート部５がバッグ本体Ｂ２の傾斜を抑止することができるため、サブバッグＢをキャリーバッグ１の天面Ｓ５の上で安定させることができる。
【００２５】
また、サポート部５は、バッグ本体２のおもて面Ｓ１から上方へ向かって突出した簡単な構造であるため、サブバッグＢの上部からファスナーを開けて荷物を取り出すことができる。
よって、キャリーバッグ１は、サブバッグＢを天面Ｓ５に載せて移動しても、簡単な構造でサブバッグＢを安定させた状態で移動することが可能であり、サブバッグＢの荷物を容易に取り出すことが可能である。
【００２６】
また、サポート部５がキャリーハンドル３より幅広に形成されているため、サポート部５より幅狭なキャリーハンドル３に、サブバッグＢの手提げ部分Ｂ１を簡単に掛けることができると共に、幅広なサポート部５がサブバッグＢのバッグ本体Ｂ２を幅広く支えることができる。そのため、サブバッグＢの安定度を向上させることができる。
【００２７】
また、サポート部５がキャリーハンドル３より高さが低く形成されているため、サポート部５によりサブバッグＢを支持させながらサポート部５がキャリーバッグ１の移動の邪魔にならず、意匠性を向上させることができる。
【００２８】
サポート部５がバッグ本体２のおもて面Ｓ１に収納可能に形成されているため、サブバッグＢを天面Ｓ５に載せない場合に、サポート部５が移動の邪魔にならない。
【００２９】
サポート部５が、バッグ本体２に収納される一対の脚部５ａと、一対の脚部５ａの上端の間に跨る支持部５ｂとにより形成されているため、サブバッグＢを支持させると共に、バッグ本体２の天面Ｓ５に子供をバッグ本体２に跨った状態で載せた場合でも、子供の前に、サポート部５の支持部５ｂが位置するため、支持部５ｂが手摺となって揺れる子供を支えることができる。
【００３０】
なお、本実施の形態に係るキャリーバッグ１では、サポート部５が、バッグ本体２に収納される一対の脚部５ａと、一対の脚部５ａの上端の間に跨る支持部５ｂとにより形成されているが、バッグ本体２のおもて面Ｓ１から上方へ向かって突出した脚部５ａのみをサポート部としてもよい。
しかし、上記したように、サブバッグＢの代わりに、子供をバッグ本体２に跨った状態で載せることができ、安定させた状態で移動することが可能であるため、サポート部５を脚部５ａと、脚部５ａの間に跨る支持部５ｂとするのが望ましい。
【産業上の利用可能性】
【００３１】
本発明のキャリーバッグは、旅行用やビジネス用のバッグに好適で、特に、子供も同伴したときには最適である。
【符号の説明】
【００３２】
１  キャリーバッグ
２  バッグ本体
２１  ハンドル
２２  ファスナー
２３，２４  凹部
３  キャリーハンドル
３ａ  脚部
３ｂ  把持部
４  キャスター
５  サポート部
５ａ  脚部
５ｂ  支持部
Ｓ１  おもて面
Ｓ２  裏面
Ｓ３  一方の側面
Ｓ４  他方の側面
Ｓ５  天面
Ｓ６  底面
Ｂ  サブバッグ
Ｂ１  手提げ部分
Ｂ２  バッグ本体
【図１】
2020130873.tif 000003
【図２】
2020130873.tif 000004
【図３】
2020130873.tif 000005